(57)【要約】【課題】  無端金属ベルトの耐久性についての全数検査を容易かつ正確におこなうことのできる方法を提供する。【解決手段】  無端金属ベルトをシーブに巻き掛けた状態で、シーブに巻き掛けられている箇所における各エレメントの金属帯を通してあるサドル面より外周側の所定の部位の高さを測定する一方、サドル面の高さとシーブに対する巻き掛け箇所でのその所定の部位の高さとの関係を予め求めておき、その予め求められた関係とその所定の部位の高さの測定値とに基づいてサドル面の高さの精度を判定して無端金属ベルトの品質の良否を判定する（ステップ３〜６）。【選択図】  図７
2005017303.tif 000002
【特許請求の範囲】
【請求項１】
複数のエレメントをその板厚方向に対面させて環状に配列するとともに、これらのエレメントに金属帯を通して前記エレメントを結束してなる無端金属ベルトの品質検査方法において、
前記無端金属ベルトをシーブに巻き掛けた状態で、前記シーブに巻き掛けられている箇所における各エレメントの前記金属帯を通してあるサドル面より外周側の所定の部位の高さを測定する一方、前記サドル面の高さと前記シーブに対する巻き掛け箇所での前記所定の部位の高さとの関係を予め求めておき、その予め求められた関係と前記所定の部位の高さの測定値とに基づいて前記サドル面の高さの精度を判定して無端金属ベルトの品質の良否を判定することを特徴とする無端金属ベルトの品質検査方法。
【請求項２】
前記無端金属ベルトにおける前記高さを測定する所定の部位が、前記シーブに巻き掛けられている箇所での最も外周側の部位であることを特徴とする請求項１に記載の無端金属ベルトの品質検査方法。
【請求項３】
前記無端金属ベルトに所定の張力を作用させることにより所定のトルクをその無端金属ベルトを介して伝達している状態で、前記シーブに巻き掛けられている箇所における各エレメントの前記所定の部位の高さを測定することを特徴とする請求項１または２に記載の無端金属ベルトの品質検査方法。
【発明の詳細な説明】
【技術分野】
【０００１】
この発明は、板片状の多数のエレメントを互いに対面させて環状に配置し、それらのエレメントに金属バンドであるフープを通して各エレメントを環状に結束して構成した無端金属ベルトの品質を検査する方法に関するものである。
【背景技術】
【０００２】
この種の無端金属ベルトはベルト式無段変速機に使用されている。その構造を簡単に説明すると、図１０において、符号１はエレメントを示し、この多数のエレメント１が互いに板厚方向に対面して環状に並べて配置され、その左右のサドル部に環状の金属帯であるフープ２を通して各エレメント１が結束され、図１１に示す全体として無端（環状）の金属ベルト３を構成している。
【０００３】
エレメント１の形状の一例を図１２に示してあり、幅方向の両側の側面は、シーブ４におけるテーパ状のシーブ面５に接触する対シーブ摩擦面６あって、シーブ面５と一致するテーパ面とされている。その対シーブ摩擦面６を備えた基体部分７の幅方向での中心部に、図１２での上側に延びた首部８が形成され、その首部８が、左右に広がった頂部９に繋がっている。その左右に広がった頂部９と基体部分７との間にスリットが形成されており、この左右２つのスリットの部分にフープ２が通されている。そして、基体部分７におけるフープ２が接触する面がサドル面１０となっている。
【０００４】
このサドル面１０の高さは、基体部分７を横切るピッチ線Ｐからの寸法で表される。また、エレメント１の幅は、ピッチ線Ｐ上の寸法で表される。なお、前記頂部９のうち首部８の延長位置には、一方の面側に凸となり、他方の面側では凹となったディンプル・ホール（Ｄ／Ｈ）１１が形成されている。このディンプル・ホール１１は、一例としてテーパ形状であって、互いに隣接するエレメント１のディンプル・ホール１１同士が嵌合することにより、エレメント１を所期の配列状態に維持するようになっている。
【０００５】
上記無端金属ベルト３は、一対のシーブ４の間に挟み付けられて使用される。その場合、シーブ面５および対シーブ摩擦面６がテーパ面であるために、各エレメント１には、シーブ４による挟圧力により半径方向での外側に荷重が作用するが、各エレメント１がフープ２によって結束されているので、フープ２の張力により半径方向での外側への移動が規制される。その結果、シーブ面５と対シーブ摩擦面６との間に摩擦力が生じ、あるいは油膜のせん断力が生じてシーブ４と無端金属ベルト３との間でトルクが伝達される。
【０００６】
上記のようにエレメント１を半径方向で外側に押圧する荷重は、シーブ４が無端金属ベルト３を挟み付けることにより生じるので、エレメント１の幅寸法やディンプル・ホール１１の位置あるいはサドル面１０の高さに誤差があれば、半径方向での外側に向けた荷重がエレメント１毎に大小に異なり、また半径方向での位置にも狂いが生じる。これに対して、各エレメント１はフープ２によって結束されていると同時に、隣接するエレメント１同士が、前述したディンプル・ホール１１によって連結されているので、幅寸法の誤差が半径方向に向けた圧縮力あるいは引っ張り力として作用する。
【０００７】
例えば図１３に示すように、３枚並んだエレメント１のうち中央のエレメント１が、幅寸法やディンプル・ホール１１の位置あるいはサドル面１０の高さの狂いによって半径方向で内側に陥没した状態になると、その中央部のエレメント１の首部８には、矢印で示すように引っ張り力が作用し、これに対して左右のエレメント１の首部８には、矢印で示すように圧縮力が作用する。あるいは図１４に示すように、３枚並んだエレメント１のうち中央のエレメント１が、幅寸法やディンプル・ホール１１の位置あるいはサドル面１０の高さの狂いによって半径方向で外側に突出した状態になると、その中央部のエレメント１の首部８には、矢印で示すように圧縮力が作用し、これに対して左右のエレメント１の首部８には、矢印で示すように引っ張り力が作用する。
【０００８】
このように各エレメント１の寸法の誤差もしくは狂いにより各エレメント１に圧縮力や引っ張り力が作用し、またそれに伴ってフープ２の張力の変動などが生じる。そして、無端金属ベルト３を走行させると、このような複雑な荷重が繰り返し生じ、これが原因となってエレメント１やフープ２に変形などの異常が生じ、その耐久性が低下することがある。
【０００９】
したがって無端金属ベルト３の品質管理として、耐久性に関係する品質素性の良否を判断する必要があり、これは、従来一般には、無端金属ベルトの製造ロットごとにサンプルを抜き取って品質検査することによりおこなっていた。すなわち抜き取ったベルトを分解して全てのエレメントについて、検査項目として挙げられている形状精度の３次元測定もしくは専用ゲージでの測定などをおこない、その測定結果に基づいて、そのベルトの製造ロットの母集団についての品質の良否の判定をおこなっていた。
【発明の開示】
【発明が解決しようとする課題】
【００１０】
上述した無端金属ベルトにおけるエレメントは、一般的には、ファインブランキング型によって打ち抜いた後、熱処理したものが使用され、したがってその製造過程で生じる形状もしくは寸法の精度のバラツキを持ったものとなっている。したがって製造ロットごとに形状・寸法の精度のバラツキに一定の傾向があり、その点では製造ロットごとの抜き取り検査によってある程度の品質の検査をおこなうことができる。
【００１１】
しかしながら、１本の無端金属ベルトには数百のエレメントが使用され、しかもそれらのエレメントは、全く同一のファインブランキング型や熱処理工程を経たものではなく、工程の異なるものがミックスされたものである。さらに、本発明の発明者等の知見によれば、無端金属ベルトの耐久性には、前述したように、個々のエレメントの寸法精度のみならず、隣接するエレメントとの寸法偏差、特にサドル高さやディンプル・ホールの位置度差が大きく影響する。
【００１２】
そのため、個々の無端金属ベルトには、そのエレメントの製造工程ごとの精度のバラツキが反映されているだけではなく、製造工程の異なるエレメントのミックスの仕方や配列の仕方が反映されてその耐久性に影響を与えている。したがって製造ロットごとの抜き取り検査では、これらの組み立て工程での影響もしくは精度のバラツキを見出すことはできない。
【００１３】
この発明は、上記の事情を背景としてなされたものであり、無端金属ベルトの耐久性についての全数検査を容易かつ正確におこなうことのできる方法を提供することを目的とするものである。
【課題を解決するための手段】
【００１４】
上記の目的を達成するために、請求項１の発明は、複数のエレメントをその板厚方向に対面させて環状に配列するとともに、これらのエレメントに金属帯を通して前記エレメントを結束してなる無端金属ベルトの品質検査方法において、前記無端金属ベルトをシーブに巻き掛けた状態で、前記シーブに巻き掛けられている箇所における各エレメントの前記金属帯を通してあるサドル面より外周側の所定の部位の高さを測定する一方、前記サドル面の高さと前記シーブに対する巻き掛け箇所での前記所定の部位の高さとの関係を予め求めておき、その予め求められた関係と前記所定の部位の高さの測定値とに基づいて前記サドル面の高さの精度を判定して無端金属ベルトの品質の良否を判定することを特徴とする方法である。
【００１５】
また、請求項２の発明は、請求項１の発明において、前記無端金属ベルトにおける前記高さを測定する所定の部位が、前記シーブに巻き掛けられている箇所での最も外周側の部位であることを特徴とする品質検査方法である。
【００１６】
さらに、請求項３の発明は、請求項１または２の発明において、前記無端金属ベルトに所定の張力を作用させることにより所定のトルクをその無端金属ベルトを介して伝達している状態で、前記シーブに巻き掛けられている箇所における各エレメントの前記所定の部位の高さを測定することを特徴とする品質検査方法である。
【発明の効果】
【００１７】
請求項１の発明によれば、サドル面の高さとシーブに巻き掛けられている箇所におけるサドル面より外周側の所定の部位の高さとの相関関係が求められて、これが無端金属ベルトの品質の判定基準とされ、その相関関係により前記所定の部位の高さの実測値を評価することにより、無端金属ベルトの品質の良否が判定される。その結果、無端金属ベルトの品質の判定が、より正確になる。
【００１８】
また、請求項２の発明によれば、サドル面の高さ精度に関係する部位の高さとして、シーブに巻き掛けた状態で最も外周側に位置する部位の高さが測定されるので、サドル面に代替する部位の高さの測定が容易になる。
【００１９】
さらに、請求項３の発明によれば、前記所定の部位の高さを測定する場合、無端金属ベルトには所定の張力が作用し、シーブ間でトルクを伝達している状態となるから、前記高さの測定が、無端金属ベルトの実際の使用状態に近い状態でおこなわれ、その結果、無端金属ベルトの品質の判定を、より正確におこなうことができる。
【発明を実施するための最良の形態】
【００２０】
つぎにこの発明を具体例に基づいて説明する。この発明で検査する無端金属ベルトの一例は、前述した図１０ないし図１２に示すとおりであり、また、その検査項目は、ディンプル・ホール１１の位置の精度およびサドル面１０の高さの精度である。なお、ディンプル・ホール１１の位置精度は、図１２での上下方向の位置精度および左右方向の位置精度の両方である。
【００２１】
図１はこの無端金属ベルト３の品質の検査に用いる装置を概念的に示しており、無端金属ベルト３を巻き掛ける一対のシーブ２０，２１が設けられている。これらのシーブ２０，２１は、前述したシーブ４と同様に、無端金属ベルト３の対シーブ摩擦面６を接触させる一対のテーパ状のシーブ面によって巻き掛け溝を構成しているシーブである。図１の左側のシーブ２０が駆動側シーブであって、モータ２２に連結されている。これに対して図１の右側のシーブ２１が従動側シーブであって、無端金属ベルト３を介して伝達するトルクを所定の値に設定するためのトルク付加機構２３に連結されている。これは、例えばブレーキ機構や電動機などによって構成することができる。
【００２２】
また、これらのシーブ２０，２１に巻き掛けた無端金属ベルト３に所定の張力を付与するための機構が設けられている。この機構は、例えば図２に示すように、いずれか一方のシーブ２０（もしくは２１）を固定シーブＳfとこれに対向させた可動シーブＳMとによって構成し、その可動シーブＳMをアクチュエータＡcによって前後動させることにより、固定シーブＳfと可動シーブＳMとの間の溝幅を狭くして無端金属ベルト３に張力を付与する機構を採用することができる。これに替えて、いずれか一方のシーブ２０，２１を他方に対して離隔する方向に荷重を掛けて無端金属ベルト３に張力を付与するように構成してもよい。
【００２３】
さらに、一方のシーブ２０，２１の外周側（図１の例では駆動側シーブ２０の外周側）に、無端金属ベルト３のうちこのシーブ２０に巻き掛けられている箇所におけるエレメント１の所定の部位の寸法を測定する接触式もしくは非接触式のセンサ２４が設けられている。このセンサ２４によって測定する寸法は、隣接するエレメント１同士の間隔と前記サドル面１０より外周側の所定の部位の高さとであり、これらの寸法は、センサ２４から出力された信号を、アンプ２５および演算部２６ならびにインジケータ２７を備えたコントローラ２８に入力し、このコントローラ２８で演算して得られるようになっている。また、所定のしきい値をコントローラ２８に入力しておくことにより、測定値とそのしきい値との比較結果、すなわち無端金属ベルト３の品質の良否の判定結果を表示するように構成されている。
【００２４】
つぎに図１および図２に示す品質検査装置の作用すなわちこの発明の品質検査方法について説明する。先ず、品質を検査するべき無端金属ベルト３を前記一対のシーブ２０，２１に巻き掛けて張力を付与し、かつ各シーブ２０，２１の間で所定のトルクを伝達する。具体的には、例えば前記アクチュエータＡcによって溝幅を狭くすることにより、無端金属ベルト３に張力を付与し、また駆動側シーブ２０をモータ２２によって回転させるとともに従動側シーブ２１にトルク付加機構２３によって制動力を付与する。その張力とトルクとの関係を図示すれば、図３のとおりであり、張力を予め定めた所定の下限値Ｆ1と上限値Ｆ2との間に設定し、かつトルクを所定の下限値Ｔ1と上限値Ｔ2との間に設定する。
【００２５】
上記の各シーブ２０，２１を回転させてこれらに巻き掛けた無端金属ベルト３を駆動（走行）させた状態で、ディンプル・ホール１１の位置精度を評価するために、前記センサ２４によってエレメント１同士の間隔Ｇapを測定し、その測定値に基づいて評価をおこなう。ここでエレメント１同士の間隔とは、無端金属ベルト３がシーブ２０，２１に巻き掛けられて円弧状に湾曲することにより、エレメント１が図４に示すように扇形に開き、その結果として生じるエレメント１の外周側の対向面の間隔である。これは、例えば中心角度（ミリ秒：ｍｓ）で表される。
【００２６】
この発明の発明者等が測定と検討を重ねたところ、互いに隣接するエレメント１同士のディンプル・ホール１１の位置精度の相対誤差（すなわち位置度差）と上記のエレメント１同士の間隔Ｇapとには所定の相関関係があることが明らかとなった。図５にその相関関係を示してあり、横軸にディンプル・ホール１１の位置度差を採り、縦軸に前記間隔Ｇapを採ってある。この図５から明らかなように、ディンプル・ホール１１の位置度差とエレメント１同士の間隔Ｇapとはほぼ反比例の関係にある。
【００２７】
その原因を推察すると、無端金属ベルト３がシーブ２０，２１に巻き掛かっている箇所では、フープ２に張力を付与していることによる半径方向での中心側に向けた荷重およびそれに対するシーブ２０，２１からの反力が作用し、またシーブ面５およびこれに接触する対シーブ摩擦面６がテーパ面であることによるシーブ２０，２１の中心軸線を含む面方向での荷重が作用する。そのため、隣接するエレメント１のディンプル・ホール１１に位置度差があると、互いに嵌合しているディンプル・ホール１１の接触面圧が高くなり、いわゆるカジリの生じた状態となって嵌合状態が維持され、エレメント１同士が密着した状態もしくはそれに近い状態となってその間隔Ｇapが狭くなるものと思われる。
【００２８】
そこでこの発明の方法では、エレメント１同士の間隔Ｇapを測定するとともに、許容できるディンプル・ホール１１の位置度差に相当する前記間隔Ｇapについてのしきい値Ｘを定め、測定された前記間隔Ｇapがそのしきい値Ｘを超えて小さい場合に、品質不良と判定する。
【００２９】
なお、図４に示すように、エレメント１はシーブ２０，２１に巻き掛けられている箇所で扇形に開くので、前記間隔Ｇapは、エレメント１の最も外周側すなわち前記頂部９の先端部９Ａで最も広くなる。したがって測定精度および評価精度を高くするために、前記センサ２４による測定は、その頂部９の先端部９Ａの間隔を測定することが好ましい。
【００３０】
また、サドル面１０の高さの精度を評価するために、シーブ２０に巻き掛けてある箇所におけるエレメント１について、そのサドル面１０より外周側の所定の部位の高さを、前記センサ２４によって測定し、その測定値に基づいて評価をおこなう。ここでサドル面１０より外周側の所定の部位の高さとは、エレメント１のピッチ線Ｐからその測定対象部位までの寸法である。
【００３１】
この発明の発明者等が測定と検討を重ねたところ、サドル面１０の高さとそれより外周側の所定部位（一例として前記頂部９の先端部９Ａ）の高さとが、図６に示すようにほぼ比例関係にあることが見出された。
【００３２】
そこでこの発明の方法では、シーブ２０に巻き掛けてある箇所での各エレメント１におけるサドル面１０より外周側の所定部位（具体的には頂部９の先端部９Ａ）の高さについての前後差すなわち隣接するエレメント１での前記先端部９Ａの相対偏差を測定するとともに、その前後差について予めしきい値Ｘ1，Ｘ2（Ｘ1＜Ｘ2）を定め、測定された前後差がそのしきい値Ｘ1，Ｘ2を超えて大きい場合に、品質不良と判定する。
【００３３】
なお、無端金属ベルト３を構成しているエレメント１の数は、一例として約４００個前後であり、したがって前記高さの前後差の測定値の数は、エレメント１の数より“１”だけ少ない数となる。それらの測定値を有限要素法（ＦＥＭ）で解析すれば、サドル面１０の高さの前後差と前記先端部９Ａの高さの相対偏差との関係が、例えば図７に示すように求められる。この図７に示す関係に基づいて前記のしきい値Ｘ1，Ｘ2を設定し、良品判定域ＯＫ、不良品判定域ＮＧ、中間域（グレーゾーン）が定まる。このように判定域を設定し、高さの相対偏差の測定値として、不良品域ＮＧに属するものがあれば、耐久性に影響を及ぼすサドル面１０の高さの前後差があると判断されるので、その無端金属ベルト３を不良品と判定する。
【００３４】
上述したようにして求められたディンプル・ホール１１の位置度差とサドル面１０の前後差とによって、無端金属ベルト３の耐久性能の特性を表せば、図８のようになる。図８において、ディンプル・ホール１１の位置度差およびサドル面１０の高さの前後差が、有限要素法で理論的に定まる境界線（ＦＥＭ理論線、疲労限界線）以上の製品は不良品（ＮＧ品）であるが、それより小さい値を示す製品については、次のように良否が判定される。すなわち、ディンプル・ホール１１の位置度差については、実験的にその許容値αが設定され、その許容値α以下の製品が良品と判定できる。また、サドル面１０の高さの前後差については、確実に良品と言い得る値が許容値βとして設定され、その許容値β以下の製品が良品と判定できる。
【００３５】
ディンプル・ホール１１の位置度差とサドル面１０の高さの前後差とによる無端金属ベルト３の耐久性についての評価基準が、図８に示すように設定できるので、これら二つの評価項目に基づいて無端金属ベルト３の品質の良否を判定してもよい。その例を図９にフローチャートで示してあり、先ず、ディンプル・ホール１１の位置度差を測定し（ステップＳ１）、その測定結果が上記の許容値αより小さいか否かを判断する（ステップＳ２）。このステップＳ２で否定的に判断された場合、すなわちディンプル・ホール１１の位置度差が許容値α以上であれば、その無端金属ベルト３について不良品（ＮＧ品）の判定をおこなう（ステップＳ３）。
【００３６】
これに対してステップＳ２で肯定的に判断された場合には、サドル面１０の高さの前後差を測定する（ステップＳ４）。その測定結果が上記の許容値βより小さいか否かを判断する（ステップＳ５）。このステップＳ５で否定的に判断された場合、すなわちサドル面１０の高さの前後差が許容値β以上であれば、その無端金属ベルト３について不良品（ＮＧ品）の判定をおこなう（ステップＳ３）。これとは反対に測定されたサドル面１０の高さの前後差が許容値βより小さいことによりステップＳ５で肯定的に判断された場合に、その無端金属ベルト３について良品の判定をおこなう（ステップＳ６）。
【００３７】
ここで上記の具体例とこの発明との関係を簡単に説明すると、図６および図７を参照して説明したサドル面１０の高さの前後差に基づく品質の判定の方法が、請求項１ないし３の発明の方法に相当する。
【００３８】
なお、この発明は上述した具体例に限定されないのであって、無端金属ベルトを構成するエレメントの形状は図１０あるいは図１２に示す形状以外の形状であってもよい。また、上記の具体例では、無端金属ベルトを構成しているエレメントの全てについて測定をおこなうこととしたが、この発明では、無端金属ベルトを構成するエレメントの内の一部のエレメントについて測定をおこない、その結果に基づいて良否の判定をおこなうこととしてもよい。
【図面の簡単な説明】
【００３９】
【図１】この発明の品質検査方法に用いる装置の一例を示す概略的断面図である。
【図２】張力を付与するために溝幅を変更する機構の一例を示す図である。
【図３】無端金属ベルトの張力とシーブ間で伝達するトルクとの関係を示す図である。
【図４】シーブに巻き掛けてある箇所でのエレメント同士が離隔して間隔をあけた状態を模式的に示す図である。
【図５】エレメント同士の間隔とディンプル・ホールの位置度差との関係を示す線図である。
【図６】サドル面の高さと頂部の先端部の高さとの関係を示す線図である。
【図７】サドル面の高さの前後差と頂部の先端部の相対偏差との関係を示す図である。
【図８】ディンプル・ホールの位置度差とサドル面の高さの前後差に基づく無端金属ベルトの品質の判定基準を示す図である。
【図９】無端金属ベルトの品質の検査方法の他の例を説明するためのフローチャートである。
【図１０】無端金属ベルトの一例を説明するための部分斜視図である。
【図１１】その無端金属ベルトの全体的に構成を示す斜視図である。
【図１２】そのエレメントを示す正面図である。
【図１３】幅寸法の隣接差異やディンプル・ホールの位置度差もしくはサドル面の高さの前後差が生じている一例における荷重の発生状態を説明するための図である。
【図１４】幅寸法の隣接差異やディンプル・ホールの位置度差もしくはサドル面の高さの前後差が生じている他の例における荷重の発生状態を説明するための図である。
【符号の説明】
【００４０】
１…エレメント、  ２…フープ、  ３…無端金属ベルト、  ４，２０，２１…シーブ、  ５…シーブ面、  ６…対シーブ摩擦面、  １０…サドル面、  ２３…トルク付加機構、  ２４…センサ。
【図１】
2005017303.tif 000003
【図２】
2005017303.tif 000004
【図３】
2005017303.tif 000005
【図４】
2005017303.tif 000006
【図５】
2005017303.tif 000007
【図６】
2005017303.tif 000008
【図７】
2005017303.tif 000009
【図８】
2005017303.tif 000010
【図９】
2005017303.tif 000011
【図１０】
2005017303.tif 000012
【図１１】
2005017303.tif 000013
【図１２】
2005017303.tif 000014
【図１３】
2005017303.tif 000015
【図１４】
2005017303.tif 000016